(57)【特許請求の範囲】
【請求項１】
コンデンサ素子（２）を、その軸方向を上下に配して密閉ケース（１）内に収容すると共に、この密閉ケース（１）内の圧力上昇によって膨出変形する上蓋（９）を、その外周部を上記密閉ケース（１）に固定して装着し、さらにこの上蓋（９）に外部端子（８）を設け、この外部端子（８）と上記コンデンサ素子（２）から導出されたリード線（１１）とを接続し、上記上蓋（９）の膨出変形によって外部端子（８）がリード線（１１）から切断されるよう成されたコンデンサにおいて、上記コンデンサ素子（２）の上端側と上蓋（９）との間に補助部材（６）を設け、この補助部材（６）は、その上面側が上蓋（９）の底面外周部と当接するとともに、その下面側が、上記コンデンサ素子（２）の軸心を挟んで相対向する両側でこのコンデンサ素子（２）の上蓋（９）側への移動を規制すべく構成して成り、上記補助部材（６）は、コンデンサ素子（２）を、その上端側から押圧するようにして設けられており、コンデンサ素子（２）の下端部と密閉ケース（１）の底部（１ａ）との間に、コンデンサ素子（２）の下端側を覆うと共に上下方向に弾性を有する底キャップ（５）を配設し、この底キャップ（５）と上記補助部材（６）とによって、上記コンデンサ素子（２）を上下から挟持していることを特徴とするコンデンサ。
【請求項２】
上記底キャップ（５）には、コンデンサ素子（２）の下端面との当接面（５ｃ）に、コンデンサ素子（２）が巻回方向に回転するのを防止するすべり止め（５ｄ）を設けたことを特徴とする請求項１のコンデンサ。
【請求項３】
上記コンデンサ素子は巻回形として構成し、その巻芯穴（２ａ）を上下方向に沿って配置する一方、上記補助部材（６）には突起部（６ａ）を設け、この突起部（６ａ）を上記巻芯穴（２ａ）に挿入するようにしたことを特徴とする請求項１又は請求項２のコンデンサ。
【請求項４】
上記密閉ケース（１）内に絶縁油（３）を充填すると共に、上記密閉ケース（１）内に吸着剤（１２）を封入したことを特徴とする請求項１〜請求項３のいずれかのコンデンサ。
【請求項５】
底部（５ａ）と、この底部（５ａ）の周縁に立設した周縁部（５ｂ）とから成り、上記コンデンサ素子（２）の下端面及び下部側面を覆う絶縁材で成された底キャップ（５）と、密閉ケース（１）の内周側面に沿って周設される絶縁シート（４）とを、底キャップ（５）の上記周縁部（５ｂ）と絶縁シート（４）との間を上記絶縁油（３）が通じるようにして密閉ケース（１）内に設けたことを特徴とする請求項４のコンデンサ。
【発明の詳細な説明】
【０００１】
【発明の属する技術分野】
この発明は、密閉ケース内の圧力上昇に伴う上蓋の膨出変形によってリード線と外部端子との接続を切断するようにしたコンデンサに関するものである。
【０００２】
【従来の技術】
上記のようなコンデンサの従来例としては、例えば特開平２−６２０１８号公報記載のものを挙げることができる。そして図４は、このような従来のコンデンサを示す断面図である。同図において３１は密閉ケースであり、この密閉ケース３１内にコンデンサ素子３２を収容して絶縁油３３が満量まで充填されている。また上記密閉ケース３１の開口面には外部端子３８、３８が取り付けられた上蓋３９が取着され、上記外部端子３８、３８は、コンデンサ素子３２から導出されたリード線４１、４１に、保安装置基板３６を介して接続されている。また上記コンデンサ素子３２の下端部は絶縁材で形成された底キャップ３５に緩挿され、コンデンサ素子３２と密閉ケース３１との絶縁が図られている。
【０００３】
上記従来のコンデンサでは、異常動作時に密閉ケース３１の内部圧力が上昇すると、その圧力で上蓋３９が外方へ押圧されて膨出変形する。そして上蓋３９が膨出変形することによって外部端子３８、３８とリード線４１、４１との接続が切断され、コンデンサ素子３２への通電を遮断するようになっている。そしてこのような保安機能が作動することにより、コンデンサ素子３２の絶縁破壊によって生じるケース破壊等が未然に防止できるようになっていた。
【０００４】
【発明が解決しようとする課題】
上記従来のコンデンサでは、上蓋３９の膨出変形によって外部端子３８、３８とリード線４１、４１との接続が切断されるようになっている。しかしながらコンデンサ素子３２が密閉ケース３１に対して十分に固定されていたとはいえず、そのため上蓋３９の膨出変形による外部端子３８、３８の移動に従ってコンデンサ素子３２が上蓋３９側へ移動してしまい、外部端子３８、３８とリード線４１、４１との接続が切断されるべきときに切断されず保安機能の確実な動作が保証されないという問題があった。
【０００５】
また上記従来のコンデンサでは、コンデンサ素子３２を収容する密閉ケース３１内に、絶縁油３３を充填している。これは、部分放電開始電圧を高くしたり、金属化フィルムコンデンサである場合に放熱を促進して、より高電位傾度に設計することを可能とするためである。しかしながら上記絶縁油３３には水分やガスが含まれ、十分に脱気脱水処理されたものであってもこれらの水分やガスを完全に取り除くことは困難である。そしてこのように絶縁油３３中に残留する水分等によって、高温下で絶縁油３３が分解してガスが発生し、これによって発生する内部圧力で保安機能がしばしば誤動作してしまうという問題もあった。
【０００６】
この発明は、上記従来の欠点を解決するためになされたものであって、その第１の目的は、密閉ケース内の圧力上昇に伴う上蓋の膨出変形によってリード線を切断するようにしたコンデンサについて、必要なときにリード線が確実に切断されるようにすることにあり、また第２の目的は、誤動作によってリード線が切断されるのを回避することにある。
【０００７】
【課題を解決するための手段】
そこで請求項１のコンデンサは、コンデンサ素子２を、その軸方向を上下に配して密閉ケース１内に収容すると共に、この密閉ケース１内の圧力上昇によって膨出変形する上蓋９を、その外周部を上記密閉ケース１に固定して装着し、さらにこの上蓋９に外部端子８を設け、この外部端子８と上記コンデンサ素子２から導出されたリード線１１とを接続し、上記上蓋９の膨出変形によって外部端子８がリード線１１から切断されるよう成されたコンデンサにおいて、上記コンデンサ素子２の上端側と上蓋９との間に補助部材６を設け、この補助部材６は、その上面側が上蓋９の底面外周部と当接するとともに、その下面側が、上記コンデンサ素子２の軸心を挟んで相対向する両側でこのコンデンサ素子２の上蓋９側への移動を規制すべく構成して成り、上記補助部材６は、コンデンサ素子２を、その上端側から押圧するようにして設けられており、コンデンサ素子２の下端部と密閉ケース１の底部１ａとの間に、コンデンサ素子２の下端側を覆うと共に上下方向に弾性を有する底キャップ５を配設し、この底キャップ５と上記補助部材６とによって、上記コンデンサ素子２を上下から挟持していることを特徴としている。
【０００８】
上記請求項１のコンデンサでは、コンデンサ素子２の上蓋９側への移動が補助部材６によって直接又は間接に規制されている。従って上蓋９の膨出変形時に外部端子８の移動に従ってコンデンサ素子２が移動することが防止され、外部端子８とリード線１１との接続を確実に切断することが可能となる。また補助部材６の下面側が、コンデンサ素子２の移動を、その軸心を挟んで相対向する両側で規制するようになっている。従ってコンデンサ素子２の移動を、きわめて簡素な構成によって確実に規制することが可能となる。また、コンデンサ素子２が補助部材６によって押圧固定されるので、外部端子８とリード線１１との接続をさらに確実に切断することが可能となる。しかもこの場合、底キャップ５と補助部材６とで挟持されることによってコンデンサ素子２がより確実に固定されるので、外部端子８とリード線１１との接続を一段と確実に切断することが可能となる。
【００１３】
請求項２のコンデンサは、底キャップ５には、コンデンサ素子２の下端面との当接面５ｃに、コンデンサ素子２が巻回方向に回転するのを防止するすべり止め５ｄを設けたことを特徴としている。
【００１４】
上記請求項２のコンデンサでは、コンデンサ素子２の回転を防止して、リード線１１、１１同士の誤接触を防止することが可能となる。
【００１５】
請求項３のコンデンサは、コンデンサ素子２は巻回形として構成し、その巻芯穴２ａを上下方向に沿って配置する一方、上記補助部材６には突起部６ａを設け、この突起部６ａを上記巻芯穴２ａに挿入するようにしたことを特徴としている。
【００１６】
上記請求項３のコンデンサでは、突起部６ａを巻芯穴２ａに挿入することにより、コンデンサ素子２に対して補助部材６が斜めに当接することを防止し、コンデンサ素子２と密閉ケース１との絶縁を確実とすると共に、より一層確実にコンデンサ素子２を密閉ケース１内に固定することが可能となる。
【００１７】
請求項４のコンデンサは、上記密閉ケース１内に絶縁油３を充填すると共に、上記密閉ケース１内に吸着剤１２を封入したことを特徴としている。
【００１８】
ここで「吸着剤」としては、例えばゼオライトを用いることができる。
【００１９】
上記請求項４のコンデンサでは、吸着剤１２によって絶縁油３中に残留する水分等を吸着することができるので、高温下における絶縁油３の分解によるガスの発生を防止し、誤動作によってリード線１１が切断されるのを回避することが可能となる。
【００２０】
請求項５のコンデンサは、底部５ａと、この底部５ａの周縁に立設した周縁部５ｂとから成り、上記コンデンサ素子２の下端面及び下部側面を覆う絶縁材で成された底キャップ５と、密閉ケース１の内周側面に沿って周設される絶縁シート４とを、底キャップ５の上記周縁部５ｂと絶縁シート４との間を上記絶縁油３が通じるようにして密閉ケース１内に設けたことを特徴としている。
【００２１】
上記請求項５のコンデンサでは、絶縁シート４と底キャップ５の周縁部５ｂとの間を通じて絶縁油３が円滑に対流するので、吸着剤１２による絶縁油３中の水分等の吸着を、これらの絶縁部材４、５によって妨げることがない。従って誤動作によってリード線１１が切断されるのを回避しつつ、コンデンサ素子２と密閉ケース１との確実な絶縁が可能となる。
【００２２】
【発明の実施の形態】
次に、この発明のコンデンサの具体的な実施の形態について、図面を参照しつつ詳細に説明する。
【００２３】
図１は、上記コンデンサを示す断面図であり、同図（ａ）はその全体構成を示し、同図（ｂ）は同図（ａ）におけるＡ部を示している。まず同図（ａ）において１は有底円筒状アルミニウム製の密閉ケースである。この密閉ケース１内に、金属化フィルムを円筒形状に用いた巻回形のコンデンサ素子２を収容している。またこのコンデンサにおいても、上記従来例と同様に絶縁油３を充填しているが、上記従来例のコンデンサと異なって満量までこれを充填せず、密閉ケース１内の上部側に空気層７が形成される程度の量としている。さらに上記密閉ケース１の開口側には上蓋９が取り付けられ、この上蓋９に外部端子８、８が設けられている。そしてこの外部端子８、８は、コンデンサ素子２から導出されたリード線１１、１１に接続されている。ここで上記上蓋９はアルミニウム製であり、密閉ケース１内の圧力上昇によって外方に膨出変形するように成されている。また外部端子８とリード線１１との接続は、従来例と同様に上記上蓋９の膨出変形によって切断される程度の強度とされている。すなわち、内圧上昇によって膨出変形する上蓋９と、この膨出変形によって切断される程度に接続された外部端子８、８とリード線１１、１１とにより、密閉ケース１内の圧力上昇によって作動する保安装置が構成されているということである。
【００２４】
また同図（ａ）に示す６は保安装置基板（補助部材）であり、図２（ａ）はその上面図、同図（ｂ）はその底面図、同図（ｃ）はその側面図、同図（ｄ）はＤ−Ｄ切断端面図、同図（ｅ）はＥ−Ｅ切断端面図をそれぞれ示している。これらの図に示すように、上記保安装置基板６は円板状であって、その底面中央部には円錐状の突起部６ａと、この突起部６ａよりも高さが低く径方向に延びる押さえ片６ｂとが突設され、また上面外周部には立上り周縁６ｃが周設されている。そして上記突起部６ａをコンデンサ素子２の巻芯穴２ａに挿入すると共に、上記立上り周縁６ｃを上蓋９の底面外周部に当接させ、また上記押さえ片６ｂをコンデンサ素子２の上面に、その軸心を挟んで相対向する両側で当接させるようにして密閉ケース１内に取り付けられている。このような構造により、上記突起部６ａはコンデンサ素子２の軸心に対して垂直方向（径方向）への動きを規制し、また上記押さえ片６ｂはコンデンサ素子２の上蓋９側への移動を規制している。なおこの押さえ片６ｂは、コンデンサ素子２から引出されるリード線（正、負）を隔離し、リード線１１、１１の接触を防止する機能を有するものでもある。また上記突起部６ａを中心として上記押さえ片６ｂ、６ｂと直交する位置には、一対の端子挿通孔６ｄ、６ｄが形成されている。この端子挿通孔６ｄ、６ｄは、上面側ほど径大なテーパ状の孔として形成されているが、その理由は次の通りである。すなわち密閉ケース１の内部圧力が上昇してケース上蓋９が変形し、コンデンサの外部端子８、８とリード線１１、１１との接続部が切断された際に、端子挿通孔６ｄ、６ｄのテーパ部により、外部端子８、８の内端部を保安装置基板６から速やかに離間させ、これにより保安装置の動作を確実に行えるようにするためである。さらに底面側において、上記各端子挿通孔６ｄ、６ｄの径方向両側の位置には、それぞれ一対の突子６ｅ、６ｅが形成されているが、これら突子６ｅ、６ｅは箔状のリード線１１、１１の両側をガイドし、その位置決めを行うためのものである。なお保安装置基板６には、適所に複数の貫通孔６ｆ・・６ｆが形成されているが、これは絶縁油やガスを通すためのものである。
【００２５】
さらに図１（ａ）に示す５は、ポリプロピレンで形成された絶縁性の底キャップである。この底キャップ５については、さらに図３（ａ）にその平面図を、同図（ｂ）に同図（ａ）におけるＣ−Ｃ断面図を、同図（ｃ）に同じくＡ−Ａ断面図を、そして同図（ｄ）にＢ−Ｂ断面矢視図をそれぞれ示している。これらの図に示すように上記底キャップ５は、中心部ほど上方に位置し、上下方向に弾性を有する凸状の底部５ａと、底部５ａの周縁に立設された周縁部５ｂとから成っている。そしてこの周縁部５ｂの内径は、上記コンデンサ素子２の外径よりやや大きく成され、図１に示すように底キャップ５内にコンデンサ素子２を緩挿し、その下端部を覆うようになっている。また底部５ａのうちコンデンサ素子２との当接面５ｃには、径方向に延びるリブ５ｄが約９０°で交差するよう２本設けられ、その断面形状は図３（ｃ）に示すように三角形状である。さらに底部５ａの裏面には、上記リブ５ｄの下方に４個の脚部５ｅが設けられ、底キャップ５を密閉ケース１の底部１ａとコンデンサ素子２の下端部との間に挟装したときにも、凸状に形成された底キャップ５の底部５ａの下方と周縁部５ｂの側方とが連通するようになっている。
【００２６】
また上記密閉ケース１には、その内周側面に沿ってポリエステル製の絶縁シート４が周設されている。そしてこの絶縁シート４は、図１（ａ）における破線Ａ部の拡大図である同図（ｂ）に示すように、底キャップ５の周縁部５ｂとの間に間隙１０が形成されるようにして設けられている。ところでこのコンデンサでは底キャップ５の周縁部５ｂの外側に絶縁シート４を配置しているが、これは上記周縁部５ｂの内側に絶縁シート４を配置するようにしてもよい。また必ずしも上記周縁部５ｂと絶縁シート４との間に明確な間隙１０が形成されていなくても、両者５ｂ、４の間に絶縁油３が流通できるように成されていればよい。
【００２７】
さらに図１（ａ）に示す１２は、吸着剤として密閉ケース１内に封入したゼオライトである。このゼオライト１２はアルカリ金属またはアルカリ土類金属の結晶性含水アルミナケイ酸塩であり、一般式
ＭｅＯ・Ａｌ2 Ｏ3 ・ｍＳｉＯ2 ・ｎＨ2 Ｏ
（Ｍｅはアルカリ金属２原子またはアルカリ土類金属１原子を示す）で表されるが、このコンデンサではそのうち絶縁油３よりも比重の大きいものを用い、封入したゼオライト１２を密閉ケース１の底部側に沈殿させゲル化させている。ここでゼオライト１２の封入方法として、第１には、まずゼオライト１２を密閉ケース１内に入れ、その後に絶縁油３を注入する方法、第２には、先に絶縁油３を密閉ケース１内に注入し、その後にゼオライト１２を入れる方法、第３には、ゼオライト１２を絶縁油３に添加し、このゼオライト１２の添加された絶縁油３を密閉ケース１に注入する方法が考えられる。そしてこのコンデンサの製造方法としては、上記３通りのいずれかをも採用することができる。
【００２８】
上記のように構成されたコンデンサでは、異常動作時に密閉ケース１の内部圧力が上昇すると上述の保安装置が作動してコンデンサ素子２への通電が遮断され、その絶縁破壊によって生じるケース破壊等が未然に防止できるようになっている。そしてこのとき密閉ケース１内には絶縁油３と共にゼオライト１２を封入している。従って絶縁油３中の水分やガス、あるいは空気層７中の湿気等を上記ゼオライト１２で吸着することができる。そのため高温下において絶縁油３が分解してガスが発生したり、絶縁油３や空気層７が異常に膨張するのを防止し、保安装置に誤動作が生じるのを回避することができる。表１は、上記ゼオライト１２を封入した場合と封入しない場合とについて、保安装置が作動することによってコンデンサが開放状態となるまでの時間を測定したデータを示している。試料はＮｏ．１からＮｏ．１０までがゼオライト１２を封入していないコンデンサであり、Ｎｏ．１１からＮｏ．２０までがゼオライト１２を封入したコンデンサである。またこれらのコンデンサは定格が４００Ｖで容量は３０μＦであり、測定は９０℃で定格の１．２５倍の電圧をかけて行った。
【００２９】
【表１】
0003953155.tif 000002
【００３０】
表１に示すように、ゼオライト１２を封入した場合には期待される寿命時間以上、すなわち平均で約１００００時間以上経過後に保安装置が作動しているのに対し、ゼオライト１２を封入しない場合には平均で約１８００時間経過後、すなわち容量変化が少ない等コンデンサ素子２がいまだ正常に機能している状態で保安装置が作動している。この表より、ゼオライト１２を密閉ケース１内に封入することによって絶縁油３の水分等を吸着し、保安装置の誤動作を回避できることがわかる。またゼオライト１２を封入することによって絶縁油３中の水分やガス、あるいは空気層７中の湿気等を吸着できるので、製造工程中において脱気脱水処理工程を省略でき、製造設備、製造工程の簡素化及び製造時間の短縮化を図ることができる。
【００３１】
また上記構成のコンデンサでは、上蓋９の底面外周部分に当接することによって上方への位置規制がされた保安装置基板６と、上下方向に弾性を有する底キャップ５とによって、コンデンサ素子２が上下から挟持されている。上記上蓋９は異常時に膨出変形するが、その外周部分は密閉ケース１に固定されているので、この部分が変形することはない。従って上蓋９の膨出変形時にも、上記保安装置基板６に対する上方への位置規制は維持される。そのため上蓋９の膨出変形によって外部端子８、８が上方へ移動しても、コンデンサ素子２は密閉ケース１内に固定されたままとなる。これによって上蓋９が膨出変形することで生ずる外部端子８、８とリード線１１、１１との切断を、確実なものとすることができる。さらにこのときコンデンサ素子２は、保安装置基板６の下面側において径方向に延びる押さえ片６ｂにより、その軸心を挟んで相対向する両側で位置規制されている。そのためこの位置規制は確実なものとなり、保安装置の作動を確実なものとすることができる。また上記保安装置基板６には突起部６ａを設け、この突起部６ａをコンデンサ素子２の巻芯穴２ａに挿入している。従って底キャップ５の底部５ａが凸状であるため当接面５ｃが曲面となっているにもかかわらず、コンデンサ素子２を傾斜させることなく挟持できるので、その固定が確実となり、また密閉ケース１との絶縁を確実とすることができる。また上記当接面５ｃには断面三角形状のリブ５ｄを設けている。このリブ５ｄは、コンデンサ素子２がその巻回方向に回転するのを防止するすべり止めとして機能するものであって、これによりコンデンサ素子２の回転によるリード線１１、１１同士の誤接触を防止することができる。また上記リブ５ｄは、底キャップ５の底部５ａを補強し、弾性効果を長期間に亘って安定して維持する役割をも果たしている。さらに上記底キャップ５には脚部５ｅを設け、底部５ａの下方と周縁部５ｂの側方とを連通させるようにしている。従って底部５ａ下方の絶縁油３中に残留するガスを周縁部５ｂ側方を通じて排除し、ゼオライト１２に吸着させることができる。
【００３２】
一方、密閉ケース１の内周側面には絶縁シート４を周設しているが、その際には底キャップ５の周縁部５ｂとの間に間隙１０を形成するようにしている。従って絶縁油３はこの間隙１０を通じて密閉ケース１内を対流し、そのためゼオライト１２による絶縁油３中の水分等の吸着効果を妨げることなくコンデンサ素子２の絶縁を行うことができる。
【００３３】
またゼオライト１２は絶縁油３よりも比重の高いものを用い、密閉ケース１の底部に沈殿させゲル化させている。するとコンデンサ素子２は、このゲル化したゼオライト１２によってもその下部を支持されることになるから、より一層確実にコンデンサ素子２を密閉ケース１に対して固定することができる。
【００３４】
以上にこの発明の具体的な実施の形態について説明したが、この発明は上記形態に限定されるものではなく、この発明の範囲内で種々変更して実施することができる。上記では保安装置基板６によって請求項１にいう補助部材を構成しているが、この補助部材６とコンデンサ素子２との間に上キャップ等を介設し、コンデンサ素子２の移動を上キャップ等を介して規制するように構成してもよい。また上蓋９や底キャップ５等の材質についても上述のものに限る訳ではない。特に、底キャップ５が上下方向に弾性を有するものであれば、この底キャップ５と保安装置基板６とによってコンデンサ素子２をより確実に挟持固定することができるが、弾性を有さないものでも充分な挟持固定を行うことが可能である。またこの発明はゼオライト１２を用いることなく実施することも可能である。
【００３５】
【発明の効果】
上記請求項１のコンデンサでは、コンデンサ素子の上蓋側への移動が補助部材によって規制される。従って上蓋の膨出変形時に外部端子の移動に従ってコンデンサ素子が移動することが防止され、外部端子とリード線との接続を確実に切断することが可能となる。また補助部材の下面側が、コンデンサ素子の移動を、その軸心を挟んで相対向する両側で規制するようになっている。従ってコンデンサ素子の移動を、きわめて簡素な構成によって確実に規制することが可能となる。
【００３６】
また上記コンデンサでは、コンデンサ素子が補助部材によって押圧固定されるので、外部端子とリード線との接続をさらに確実に切断することが可能となる。
【００３７】
さらに上記コンデンサでは、底キャップと補助部材とで挟持されることによってコンデンサ素子がより確実に固定されるので、外部端子とリード線との接続を一段と確実に切断することが可能となる。
【００３８】
請求項２のコンデンサでは、コンデンサ素子の回転を防止して、リード線同士の誤接触を防止することが可能となる。
【００３９】
請求項３のコンデンサでは、突起部を巻芯穴に挿入することにより、コンデンサ素子に対して補助部材が斜めに当接することを防止し、コンデンサ素子と密閉ケースとの絶縁を確実とすると共に、より一層確実にコンデンサ素子を密閉ケース内に固定することが可能となる。
【００４０】
請求項４のコンデンサでは、吸着剤によって絶縁油中に残留する水分等を吸着することができるので、高温下における絶縁油の分解によるガスの発生を防止し、誤動作によってリード線が切断されるのを回避することが可能となる。
【００４１】
請求項５のコンデンサでは、絶縁シートと底キャップの周縁部との間を通じて絶縁油が円滑に対流するので、吸着剤による絶縁油中の水分等の吸着を、これらの絶縁部材によって妨げることがない。従って誤動作によってリード線が切断されるのを回避しつつ、コンデンサ素子と密閉ケースとの確実な絶縁が可能となる。
【図面の簡単な説明】
【図１】この発明のコンデンサの一実施形態を示し、（ａ）はその全体構成を示す断面図であり、（ｂ）は部分拡大断面図である。
【図２】上記コンデンサに用いられる保安装置基板を示すもので、（ａ）は上面図、（ｂ）は底面図、（ｃ）は側面図、（ｄ）はＤ−Ｄ線切断端面図、（ｅ）はＥ−Ｅ線切断端面図である。
【図３】上記コンデンサに用いられる底キャップを示し、（ａ）はその平面図であり、（ｂ）はＣ−Ｃ断面図であり、（ｃ）はＡ−Ａ断面図であり、（ｄ）はＢ−Ｂ断面図である。
【図４】従来例のコンデンサを示す断面図である。
【符号の説明】
１  密閉ケース
１ａ  底部
２  コンデンサ素子
２ａ  巻芯穴
３  絶縁油
４  絶縁シート
５  底キャップ
５ａ  底部
５ｂ  周縁部
５ｃ  当接面
５ｄ  リブ
６  保安装置基板
６ａ  突起部
８  外部端子
９  上蓋
１０  間隙
１１  リード線
１２  ゼオライト
【図１】
0003953155.tif 000003
【図２】
0003953155.tif 000004
【図３】
0003953155.tif 000005
【図４】
0003953155.tif 000006